(57)【要約】【課題】スラブに簡単に設置できる排水管接続具、及び該排水管接続具を備えた排水具セットの提供。【解決手段】  スラブＳの開口下に配置された状態で該開口と排水管とをつなぐ本体部２と、該本体部２をスラブＳに吊り下げて開口の下方に配置するための吊下具３とを備え、該吊下具３は、開口周りの開口縁部に載置する載置部３０と、該載置部３０を開口縁部上に載置した状態で開口に挿し込まれる延出杆部３１と、該延出杆部３１から突出する突出部３２と、を有し、本体部２は、筒状であり排水管が接続される筒状接続部２０であって、内部に延出杆部３１を挿通可能な筒状接続部２０と、筒状接続部２０の径方向に延びた弾性部２２０で構成され且つ筒状接続部２０内に挿通された状態で突出部３２に掛止する掛止部２２と、を有する。【選択図】図６
0003223245.tif 000002
【実用新案登録請求の範囲】
【請求項１】
建築物の床を構成するスラブに形成されている排水用の開口と対応する位置に配置された状態で該開口と排水管とをつなぐための本体部と、
該本体部をスラブに吊り下げるための吊下具とを備え、
該吊下具は、
前記開口の開口縁部に載置する載置部と、
該載置部を前記開口縁部上に載置した状態で前記開口内に挿し込まれ且つ該載置部から下方に延出する延出杆部と、
該延出杆部から側方に突出する突出部と、を有し、
前記本体部は、
筒状であり且つ前記開口の位置に合わせて配置される上端開口部と前記排水管が接続される下端開口部とを含む筒状接続部と、
該筒状接続部の軸線方向に対して横向きに延びた形状の弾性体を含む掛止部であって、前記延出杆部が前記筒状接続部に挿通されている状態で前記突出部に掛止可能である掛止部と、を有する、
排水管接続具。
【請求項２】
前記延出杆部の長手方向に沿う方向における前記突出部の位置を変更するための位置変更構造を備える、
請求項１に記載の排水管接続具。
【請求項３】
前記本体部は、前記筒状接続部に取り付けられた状態で前記下端開口部よりも下方側に延出するフレーム部を有し、
前記掛止部は、前記下端開口部よりも下方側で前記フレーム部に取り付けられる、
請求項１又は請求項２に記載の排水管接続具。
【請求項４】
前記延出杆部には、自身の長手方向に沿って延びる長孔が形成され、
前記位置変更構造は、
該長孔に挿通される雄ねじ部であって、軸線方向における一端に前記突出部が延設された雄ねじ部と、
該雄ねじ部の軸線方向における他端側に螺合する締込部と、を有する、
請求項２に記載の排水管接続具。
【請求項５】
前記筒状接続部の前記下端開口部の外周面には、前記排水管を螺合するためのねじ山が形成される、
請求項１乃至請求項４の何れか１項に記載の排水管接続具。
【請求項６】
請求項５に記載の排水管接続具と、該排水管接続具における前記筒状接続部の前記下端開口部に螺合可能な排水管とを備える、排水具セット。
【考案の詳細な説明】
【技術分野】
【０００１】
本考案は、建築物の床を構成するスラブに形成されている排水用の開口に排水管を仮設するための排水管接続具、及び該排水管接続具を備えた排水具セットに関する。
【背景技術】
【０００２】
上記排水管接続具には、図８に示すように、スラブＳに形成されている排水用の貫通穴Ｈの下方に配置された状態で該貫通穴Ｈと排水管６とをつなぐように構成された接続管５０と、該接続管５０内に設けられた連結部材５１（図９参照）と、該連結部材５１を介して接続管５０をスラブＳの貫通孔内に吊り下げる吊下部材５２とを備えたものが知られている（例えば特許文献１参照）。
【０００３】
接続管５０は、筒状であり且つ上端部が貫通穴Ｈ内に配置される第一の接続部５００と、該第一の接続部５００の下端部に連設されている第二の接続部５０１であって、筒状であり且つ自身の下端部に排水管６を接続可能な第二の接続部５０１と、を有する。
【０００４】
連結部材５１は、図９に示すように、第二の接続部５０１の内面に取り付けられている。また、連結部材５１は、接続管５０内で横向き（接続管５０の径方向と対応する方向）に延びる爪部５１０を有する。
【０００５】
吊下部材５２は、図１０に示すように、前記貫通穴Ｈ周りの縁部に載置する支持杆５２０と、該支持杆５２０を前記縁部上に載置した状態で、該支持杆５２０から前記貫通穴Ｈを通じて前記スラブＳの下方側まで延出する掛止部材５２１と、を有し、この掛止部材５２１には長手方向に沿って複数の挿込孔５２１ａが形成されている。
【０００６】
図８に示すように、かかる排水管接続具５をスラブＳに設置する場合は、支持杆５２０をスラブＳの縁部に載せて掛止部材５２１が支持杆５２０から貫通穴Ｈを通じてスラブＳの下方側まで延出した状態にする。
【０００７】
そして、接続管５０を掛止部材５２１に対して下方側から接近させて、接続管５０内に掛止部材５２１が挿通された状態のまま、接続管５０の向きや位置を調整することによって爪部５１０を掛止部材５２１の挿込孔５２１ａに挿し込む。このようにすると、爪部５１０を掛止部材５２１に掛止できるため、吊下部材５２によって接続管５０をスラブＳに吊り下げることができる。
【先行技術文献】
【特許文献】
【０００８】
【特許文献１】特開２０１６−１５１１４５号公報
【考案の概要】
【考案が解決しようとする課題】
【０００９】
ところで、上記従来の排水管接続具５では、爪部５１０を挿込孔５２１ａに挿し込むにあたり、爪部５１０の位置や向きを挿込孔５２１ａの位置に合わせる必要があるが、爪部５１０が別の部位に干渉すると動き（爪部５１０の動き）が制限されてしまい、爪部５１０の位置を挿込孔５２１ａの位置に合わせる作業、すなわち、吊下部材５２への接続管５０の取付作業が難航することがある。従って、上記従来の排水管接続具５では、スラブＳへの設置作業が困難なものであった。
【００１０】
そこで、本考案は、斯かる実情に鑑み、スラブに簡単に設置できる排水管接続具、及び該排水管接続具を備えた排水具セットの提供を課題とする。
【課題を解決するための手段】
【００１１】
本考案の排水管接続具は、
建築物の床を構成するスラブに形成されている排水用の開口と対応する位置に配置された状態で該開口と排水管とをつなぐための本体部と、
該本体部をスラブに吊り下げるための吊下具とを備え、
該吊下具は、
前記開口の開口縁部に載置する載置部と、
該載置部を前記開口縁部上に載置した状態で前記開口内に挿し込まれ且つ該載置部から下方に延出する延出杆部と、
該延出杆部から側方に突出する突出部と、を有し、
前記本体部は、
筒状であり且つ前記開口の位置に合わせて配置される上端開口部と前記排水管が接続される下端開口部とを含む筒状接続部と、
該筒状接続部の軸線方向に対して横向きに延びた形状の弾性体を含む掛止部であって、前記延出杆部が前記筒状接続部に挿通されている状態で前記突出部に掛止可能である掛止部と、を有する。
【００１２】
上記構成の排水管接続具をスラブに設置する場合、吊下具がスラブに配置されている状態、すなわち、載置部が開口縁部上に載置され且つ延出杆部が開口内に挿し込まれている状態で使用者が本体部を手に持ち、掛止部を突出部に掛止する作業を行う。
【００１３】
掛止部は弾性体を含むため、掛止部が別の部位に干渉しても、掛止部の少なくとも一部を変形させながら掛止部を突出部に掛止する作業を続けることができる。従って、掛止部を所望するように動かせなくなることが抑制され、これにより、吊下具への本体部の取付作業が簡単になる。
【００１４】
本考案の排水管接続具において、
前記延出杆部の長手方向に沿う方向における前記突出部の位置を変更するための位置変更構造を備えていてもよい。
【００１５】
かかる構成によれば、スラブの厚み等に応じて突出部の配置を調整することが可能となるため、掛止部を掛止し易い位置に突出部を配置しておくことができる。
【００１６】
本考案の排水管接続具において、
前記本体部は、前記筒状接続部に取り付けられた状態で前記下端開口部よりも下方側に延出するフレーム部を有し、
前記掛止部は、前記下端開口部よりも下方側で前記フレーム部に取り付けられていてもよい。
【００１７】
かかる構成によれば、筒状接続部外に配置されている掛止部を目視しながら掛止部の位置を突出部の位置に合わせることができるため、掛止部を突出部に掛止する作業が簡単になる。
【００１８】
本考案の排水管接続具において、
前記延出杆部には、自身の長手方向に沿って延びる長孔が形成され、
前記位置変更構造は、
該長孔に挿通される雄ねじ部であって、軸線方向における一端に前記突出部が延設された雄ねじ部と、
該雄ねじ部の軸線方向における他端側に螺合する締込部と、を有するように構成されていてもよい。
【００１９】
かかる構成によれば、長孔内で雄ねじ部が動く範囲内においては、突出部の位置を無段階で調整することができるため、掛止部を掛止し易い位置に突出部を配置し易くなり、また、締込部を締め込むことで突出部の位置を固定できるようになる。
【００２０】
本考案の排水管接続具において、
前記筒状接続部の前記下端開口部の外周面には、前記排水管を螺合するためのねじ山が形成されていてもよい。
【００２１】
かかる構成によれば、排水管を回転操作するだけで筒状接続部の下端開口部に排水管を接続することができるため、筒状接続部への排水管の接続作業が簡単になる。
【００２２】
そして、本考案の排水具セットは、上記の排水管接続具と、該排水管接続具における前記筒状接続部の前記下端開口部に螺合可能な排水管とを備えた構成となっている。
【考案の効果】
【００２３】
以上のように、本考案の排水管接続具、及び該排水管接続具を備えた排水具セットによれば、吊下具への本体部の取付作業が簡単になることによって、スラブに簡単に設置できるようになるという優れた効果を奏し得る。
【図面の簡単な説明】
【００２４】
【図１】図１は、本考案の一実施形態に係る排水管接続具、及び排水管の外観図である。
【図２】図２は、同実施形態に係る排水管接続具の本体部の縦断面図である。
【図３】図３において、（ａ）は図１の領域Ａの正面拡大図であり、（ｂ）は図１のＩＩＩ−ＩＩＩ断面線の断面図である。
【図４】図４は、同実施形態に係る排水管接続具に接続される排水管の部分断面図である。
【図５】図５は、同実施形態に係る排水管接続具の吊下具を配置する作業の説明図であり、（ａ）は吊下具の載置部をスラブ上に配置した状態の説明図であり、（ｂ）は吊下具の載置部をスラブの開口縁部上に載置した状態の説明図である。
【図６】図６は、同実施形態に係る排水管接続具の本体部を吊下具に取り付けた状態の説明図である。
【図７】図７は、同実施形態に係る排水管接続具の本体部に排水管を取り付けている状態の説明図である。
【図８】図８は、従来の排水管接続具をスラブに設置した状態の説明図である。
【図９】図９は、従来の排水管接続具の接続管のみを上方から見た図である。
【図１０】図１０は、従来の排水管接続具の吊下部材の正面図である。
【考案を実施するための形態】
【００２５】
以下、本考案の一実施形態にかかる排水管接続具について、添付図面を参照しつつ説明する。
【００２６】
排水管接続具は、建築物の床を構成する板状のスラブに形成されている排水用の開口（以下、排水開口と称する）に排水管を仮設するためのものである。
【００２７】
排水管接続具１は、図１に示すように、スラブに形成されている排水開口の下方に配置された状態で該排水開口と排水管とをつなぐように構成された本体部２と、該本体部２をスラブに吊り下げた状態で排水開口の下方に配置するための吊下具３と、を備えている。
【００２８】
本体部２は、図２に示すように、筒状であり且つ上端開口部２０ａを排水開口の位置に合わせて配置した状態で下端開口部２０ｂに前記排水管が接続される筒状接続部２０であって、内部に後述する延出杆部３１を挿通可能な筒状接続部２０と、前記本体部２に取り付けられるフレーム部２１と、該フレーム部２１に取り付けられる掛止部２２であって、吊下具３（後述する突出部）に掛止するための掛止部２２とを備えている。
【００２９】
筒状接続部２０の下端開口部２０ｂの外周面には、ねじ山２００が形成されており、排水管が螺合可能となっている。
【００３０】
フレーム部２１は、筒状接続部２０の内面に固定される内側フレーム部２１０と、内側フレーム部２１０に連続し、且つ内側フレーム部２１０から筒状接続部２０の下端開口部２０ｂよりも下方側に延出する一対の延出フレーム部２１１とを有する。
【００３１】
延出フレーム部２１１は、筒状接続部２０の内面に沿わせて配置されており、筒状接続部２０の径方向において間隔をあけて並んでいる。
【００３２】
本実施形態の掛止部２２は、全体が弾性体により構成されているが、例えば、掛止部２２は、一部が弾性体により構成されていてもよい。本実施形態の掛止部２２は、環状の弾性体で構成されており、この環状の弾性体が横向きで一対の延出フレーム部２１１に掛け渡されている。そのため、掛止部２２は、一対の弾性部２２０を有する。各弾性部２２０は、線状であり、両端が別々の延出フレーム部２１１に連結されている。また、一対の弾性部２２０は、互いの間に隙間が形成されるようにして上下方向で並べて配置されている。
【００３３】
図１に示すように、吊下具３は、スラブの排水開口周りの開口縁部に載置する載置部３０と、平板状であり且つ長手方向における一端が載置部３０に対して回転可能に連結された延出杆部３１と延出杆部３１から突出する突出部３２（図３参照）と、該突出部３２の位置を延出杆部３１の長手方向に沿って変更するための位置変更構造３３（図３参照）と、載置部３０に対して延出杆部３１と載置部３０との連結位置よりも前記載置部３０の長手方向における一方側に連結されている操作杆部３４であって、載置部３０を縦向きにした縦姿勢と横倒しにした横姿勢とに切替可能な操作杆部３４と、載置部３０が横倒姿勢に切り替えられている状態で、延出杆部３１と載置部３０との連結位置よりも前記載置部３０の長手方向における他方側の位置において延出杆部３１と載置部３０とに干渉する周止部３５と、を有する。
【００３４】
載置部３０は、平板状に形成されている。また、載置部３０は、長手方向における両端部をスラブの排水開口まわりの開口縁部上に載せる部分である。そのため、載置部３０は、排水開口上に掛け渡すようにしてスラブ上に配置される。
【００３５】
延出杆部３１には、長手方向に沿って延びる長孔３１０が形成されている。長孔３１０は、延出杆部３１の長手方向における他端部から前記一端側に向かって延びるように形成されている。
【００３６】
突出部３２は、延出杆部３１に対して直交又は略直交する方向において、延出杆部３１の板面から突出している。また、延出杆部３１は、基端側よりも先端側の方が大径となるように形成されており、且つ基端側の外径が長孔３１０の幅よりも大きくなるように形成されている。
【００３７】
位置変更構造３３は、図３（ａ）に示すように、長孔３１０に挿通される雄ねじ部３３０であって、軸線方向における一端に突出部３２が延設された雄ねじ部３３０と、該雄ねじ部３３０の軸線方向における他端側に螺合する締込部３３１と、を有する。
【００３８】
雄ねじ部３３０は、長孔３１０が形成されている範囲内で延出杆部３１の長手方向に沿って移動することができ、雄ねじ部３３０の移動に伴って突出部３２の位置も変わるようになっている。
【００３９】
また、締込部３３１を雄ねじ部３３０に対して締め込めば、締込部３３１と突出部３２とで延出杆部３１が挟み込まれるため突出部３２の位置が固定され（図３（ｂ）参照）、雄ねじ部３３０に対する締込部３３１の締め込みを緩めれば、締込部３３１と突出部３２とによる延出杆部３１への挟み込みを解除して、突出部３２の位置を変更できるようになる。
【００４０】
操作杆部３４は、載置部３０に対して回転可能に連結されている。そのため、延出杆部３１を手に持った状態（固定した状態）で操作杆部３４を引き操作すると載置部３０が縦姿勢に切り替わり、操作杆部３４を押し操作すると載置部３０が横姿勢に切り替わる。
【００４１】
周止部３５は、載置部３０が縦姿勢から横姿勢に切り替わった際に、該載置部３０の回転を停止させるための構成である。なお、本実施形態に係る周止部３５は、延出杆部３１の前記一端側に設けられているが、縦姿勢から横姿勢に切り替わった載置部３０の回転を止めることができれば載置部３０に設けられていてもよい。
【００４２】
ここで、図４に示すように、排水管４は、長手方向における一端部側が筒状接続部２０の下端開口部２０ｂに接続可能となっている。本実施形態の排水管４は、一端部側の内周面に雌ねじ４０が形成されており、筒状接続部２０の下端開口部２０ｂに対して螺合できるようになっている。
【００４３】
本実施形態に係る排水管接続具１の構成は以上の通りである。続いて、排水管接続具１の使い方を説明する。
【００４４】
排水管接続具１は、吊下具３をスラブに配置した後、該吊下具３に本体部２を吊り下げることによってスラブに設置される。
【００４５】
吊下具３をスラブに配置する際は、図５（ａ）に示すように、まず、延出杆部３１を手に持って操作杆部３４を引き操作し、載置部３０を縦姿勢に切り替えた後に、図５（ｂ）に示すように、載置部３０を開口縁部上に載置する。これにより、延出杆部３１が載置部３０から排水開口Ｈを通じてスラブＳの下方側まで延出した状態になる。なお、吊下具３をスラブＳに配置するにあたり、スラブＳの厚み等を考慮して突出部３２の位置を調整しておくとよい。
【００４６】
続いて、吊下具３に本体部２を取り付ける際は、延出杆部３１に対して下方側から筒状接続部２０の上端開口部２０ａを接近させて、筒状接続部２０内に延出杆部３１が挿通されている状態にする。このとき、延出杆部３１の下端部は、下端開口部２０ｂのさらに下方側まで延出している。
【００４７】
そして、掛止部２２の位置を突設部の位置に合わせた後、一対の弾性部２２０の間に突設部を挿し込むと、一対の弾性部２２０が突設部を挟み込むことによって、掛止部２２を突設部に掛止させた状態になる。
【００４８】
これにより、図６に示すように、本体部２が吊下具３によって排水開口Ｈの下方側に吊り下げられた状態になり、スラブＳへの排水接続具の設置作業が完了する。
【００４９】
そして、図７に示すように、筒状接続部２０の下端開口部２０ｂに排水管の一端部を螺合させると、排水開口Ｈと排水管とをつなぐことができる。
【００５０】
なお、スラブＳから排水管接続具１を撤去する場合は、まず、筒状接続部２０から排水管を外し、吊下具３から本体部２を外し、吊下具３をスラブＳから外せばよい。
【００５１】
以上のように、本実施形態に係る排水管接続具１では、吊下具３の突出部３２に掛止するための掛止部２２が弾性体で構成されているため、本体部２を吊下具３に取り付ける際に掛止部２２が別の部位に干渉しても、掛止部２２を変形させながら掛止部２２を突出部３２に掛止する作業を続けることができる。従って、掛止部２２を所望するように動かせなくなることが抑制され、これにより、吊下具３への本体部２の取付作業が簡単になる。
【００５２】
従って、排水管接続具１は、吊下具３への本体部２の取付作業が簡単になることによって、スラブＳに簡単に設置できるようになるという優れた効果を奏し得る。
【００５３】
なお、本実施形態では、突出部３２に掛止部２２を掛止している状態においては、一対の弾性部２２０によって突出部３２が挟み込まれた状態になるため、本体部２の姿勢が安定し易くなる。また、一対の弾性部２２０は、突出部３２の基端側、すなわち、先端側よりも小径となっている部分を挟み込むため、突出部３２の先端側により各弾性部２２０が抜止される。
【００５４】
そして、掛止部２２の掛止対象となる突出部３２は位置変更構造３３により延出杆部３１の長手方向に沿う方向での位置を変更できるようになっているため、例えば、スラブＳの厚み等に応じて突出部３２の配置を調整することが可能となるため、掛止部２２を掛止し易い位置に突出部３２を配置しておくことができる。
【００５５】
さらに、位置変更構造３３は、雄ねじ部３３０が延出杆部３１の長孔３１０内を移動することにより、突出部３２の位置を変えることができるように構成されているから、突出部３２の位置を無段階で調整することができるため、掛止部２２を掛止し易い位置に突出部３２を配置し易くなり、締込部３３１を締め込めば突出部３２の位置を固定することができる。
【００５６】
そして、図８乃至図１０に図示した従来の排水管接続具５（特許文献１に記載の排水管接続具５）では、爪部５１０が接続管５０内に位置しているため、作業者が爪部５１０と挿込孔５２１ａとの位置関係を目視できない状態で、爪部５１０の位置を挿込孔５２１ａの位置に合わせる作業を行うことになっていたが、本実施形態の排水管接続具１では、
掛止部２２は、フレーム部２１によって筒状接続部２０の下端開口部２０ｂよりも下方側、すなわち、筒状接続部２０の外部に配置されているため、筒状接続部２０外に配置されている掛止部２２を目視しながら掛止部２２の位置を突出部３２の位置に合わせることが可能となり、掛止部２２を突出部３２に掛止する作業がより簡単になる。
【００５７】
さらに、筒状接続部２０と排水管とは、筒状接続部２０のねじ山２００と排水管の雌ねじ４０とを螺合させることで互いに接続できるようになっているため、筒状接続部２０と排水管の接続作業も簡単に行うことができるようになる。
【００５８】
なお、本考案の排水管接続具は、上記実施形態に限定されるものではなく、本考案の要旨を逸脱しない範囲内において種々の変更を加え得ることは勿論である。
【００５９】
上記実施形態において、特に言及しなかったが、排水管接続具１は、排水管と併せて排水具セットとすることもできる。
【００６０】
上記実施形態において、載置部３０と延出杆部３１とは相対回転可能であったが、この構成に限定されない。例えば、載置部３０と延出杆部３１とは相対回転不能であってもよい。この場合、吊下具３は、操作杆部３４や、周止部３５を備えていなくてもよい。
【００６１】
上記実施形態において、掛止部２２は、一対の弾性部２２０を有するように構成されていたが、この構成に限定されない。例えば、掛止部２２は、突出部３２に対して上方から掛止できれば、一つの弾性部２２０を備えるように構成されていてもよい。
【符号の説明】
【００６２】
１…排水管接続具、２…本体部、３…吊下具、４…排水管、２０…筒状接続部、２０ａ…上端開口部、２０ｂ…下端開口部、２１…フレーム部、２２…掛止部、３０…載置部、３１…延出杆部、３２…突出部、３３…位置変更構造、３４…操作杆部、３５…周止部、２００…ねじ山、２１０…内側フレーム部、２１１…延出フレーム部、２２０…弾性部、３１０…長孔、３３０…ねじ部、３３１…締込部、Ｈ…排水開口、Ｓ…スラブ
【図１】
0003223245.tif 000003
【図２】
0003223245.tif 000004
【図３】
0003223245.tif 000005
【図４】
0003223245.tif 000006
【図５】
0003223245.tif 000007
【図６】
0003223245.tif 000008
【図７】
0003223245.tif 000009
【図８】
0003223245.tif 000010
【図９】
0003223245.tif 000011
【図１０】
0003223245.tif 000012